(57)【要約】【課題】ディスクカートリッジにおけるケース内部の視認性を向上し、透明窓部に不要な模様がなくなり外観品位を高め、耐久性も強化する。【解決手段】上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面に形成される段差部分に成形用金型の仕切用入れ子で形成される入れ子線を沿設した。【選択図】図２
2006079821.tif 000002
【特許請求の範囲】
【請求項１】
上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面に形成される段差部分に成形用金型の仕切用入れ子で形成される入れ子線を沿設したことを特徴とするディスクカートリッジ。
【請求項２】
前記入れ子線が、前記不透明樹脂と、透明樹脂との境界線近傍に沿設されている請求項１記載のディスクカートリッジ。
【発明の詳細な説明】
【技術分野】
【０００１】
本発明はディスク状媒体、特に光ディスクや光磁気ディスクなどをケース内に回転可能に収納したディスクカートリッジに関するものである。
【背景技術】
【０００２】
一般に、情報媒体、例えば磁気ディスク、光ディスク或いは光磁気ディスクなどのディスク状媒体は、ケースに収納された状態で用いられる。そして、これまでのディスクカートリッジのケースは、透明または不透明の樹脂を一種類のみ用いて成形されていた。また、その他の媒体用のカセットケースとしては、例えばオーディオカセットのケースで外部を構成する不透明の樹脂と窓部を含む部分に透明樹脂を一体成形することが知られている。
【発明の開示】
【発明が解決しようとする課題】
【０００３】
従来のディスクカートリッジ用ケースは、単一の樹脂しか用いていないので、不透明樹脂を用いた場合、意匠が単調となり製造者が異なっても類似の形態となり、ユーザーが区別しずらいという問題があり、また、透明樹脂を用いた場合、透明樹脂の種類が少ないため、用途に最適な樹脂が選択できないという問題や、全面が透明となるため、内部構造も表から見えてしまうので、外観を重視した設計になって製作煩雑でコスト高となってしまうという問題がある。
【０００４】
また、オーディオカセットのケースで使用されている不透明、および透明の２種類の樹脂の一体成形では、ハブ孔部や目盛りなどを利用して透明樹脂のゲートを設けることができるので、外観上ゲート跡を目立たなくすることが可能であるが、ディスクカートリッジのケースの場合は、目盛りやハブ孔がないので、外観上問題となるゲート跡を目立たなくすることは、非常に困難である。また、ゲート部の金型を別部材のブッシュとして構成すると、成形での金型事故に対して金型修理が容易となるが、ケースの透明窓部にブッシュの線が発生するので、外観品位が低下するという問題があった。
【０００５】
本発明は、これらの従来の欠点を排除しようとするもので、内部にディスク状媒体を回転可能に収納するディスクカートリッジにおいて、２種類の樹脂を一体成形したケースの外観品位を大巾に向上させるとともに、ケース成形金型においても製作、修理などのメンテナンスも容易な構造を提供することにある。
【課題を解決するための手段】
【０００６】
本発明は、上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面に形成される段差部分に成形用金型の仕切用入れ子で形成される入れ子線を沿設したものである。
【発明の効果】
【０００７】
本発明は、上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面に形成される段差部分に成形用金型の仕切用入れ子で形成される入れ子線を沿設したことにより、ケース内部の視認性を向上すると共に、ケースが意匠的に単調となることなくケースに特異性を持たせることができ、体裁良好でその外観品位を高め、しかもケースの不透明部分と透明部分との異樹脂の接合部分も強度が低下することもなく、成形不良もなくして、外力によるケース変形を防止しディスク状媒体に障害が発生することも減少すると共に、ケースに必要な板厚を設定でき強度も充分ある信頼性の高いディスクカートリッジを効率よく生産することができる。
【発明を実施するための最良の形態】
【０００８】
以下に、図面を用いて、本願発明を実施するための最良の形態を示す。
【実施例１】
【０００９】
本発明の実施例を図１乃至図９の例で説明すると、上ケースと下ケースとからなるケース１の内部にディスク状媒体２を回転可能に収納したディスクカートリッジにおいて、前記ケース１の主要部３を形成する不透明樹脂と、透視窓部４を形成する透明樹脂とで一体成形したケースを備え、該透視窓部４には透明樹脂注入用ゲート５を含むエリアで、ケースの内面または外面に形成される段差部分６に成形用金型の仕切用入れ子１２で形成される入れ子線７を沿設してある。
【００１０】
この場合、上ケースに適用したものであるが、不透明樹脂で外形部の主要部３、シャッタ摺動エリア８、メディア中央部９を構成し、透明樹脂でメディア記録面にほぼ対向する部分１０を構成し、両方の樹脂を一体成形している。また、ラベル貼着用エリア１１は、他の外面に比べラベル厚さよりもやや深い量だけ、凹形状とし、メディア中央部９とメディア記録面とほぼ対向する部分１０の一部にまたがって設けてある。
【００１１】
なお、不透明樹脂のゲート１５は、シャッタ摺動エリア８に設けており、透明樹脂のゲート５は、メディアの記録面とほぼ対向する部分１０でラベル貼着用エリア１１ではない箇所に設ける。
透明樹脂のゲート５を含む円弧状の領域、即ち透視窓部の一部の周囲には、不透明樹脂を射出成形するときに、透明樹脂で形成される部分に樹脂が流れないようにするための金型の突き当て部による段差部分があり、この段差部分に合わせて、透明樹脂のゲート５を含む金型のゲートブッシュ１２の入れ子線７を配置するようにする。
【００１２】
また、成形金型では図７に示すように、可動側金型１３の中に、透明樹脂で形成される部分を構成する摺動する摺動コア１４を設ける。摺動するこの可動側金型１４は、不透明樹脂を射出成形する際には図７（ｂ）に示すように前進して不透明樹脂と透明樹脂で形成される境界部で固定側金型１６と接触し、不透明樹脂が透明樹脂で形成される部分に流れないように仕切突壁１７を設ける。その後、透明樹脂を射出成形するために、摺動する可動側金型１４を後退させて、空間を作りその箇所に透明樹脂で形成される部分を成形する〔図７（ａ）〕。また、下シェルにも同様の形状で適用できる。その場合、透明樹脂で形成される部分の形状を上シェルとほぼ同じ形状にするのが、成形性の向上のために望ましく樹脂は不透明樹脂で成形する〔図８（ｂ）〕。
【００１３】
前記入れ子線７としては、前記段差部分６のほかに不透明樹脂と、透明樹脂との境界線即ちケースの主要部３と透視窓部４との接続境界線近傍にも沿設して、外観品位を向上することが配慮されている。
【００１４】
なお、ディスクカートリッジ用金型は、図４及び図７に示すように透明樹脂で形成される部分を構成するための可動側金型１３と、該可動側金型１３に対して摺動する摺動コア１４と、摺動コア１４に設けられた不透明樹脂を仕切るための段差に合わせて第２の樹脂を注入するためのゲートを含んで、固定側金型１６に対して分割したゲートブッシュ１２とで構成したものを用い、透視窓部４の外周内面にある不透明樹脂を仕切る段差部分６に合わせて入れ子線７を配置し、窓部に不要な模様をなくし、内部の視認性を向上させてあると共に、成形金型で樹脂注入するゲート部５1 を金型本体とは別部材としてあるので、ゲート部５1 の分解を容易化できメンテナンス性が改善でき、万一、金型損傷の際にも更新が簡便で補修部品も少なくてすみ経済的である。
【００１５】
前記ケース１の表面に形成されたラベル貼着用の凹状のラベルエリア１１と、前記ゲート５の凹部の深さをほゞ等しい深さとして、ケース１に必要な板厚を設定させて強度の十分ある信頼性の高いディスクカートリッジとするように配慮されている。
【００１６】
図中、２０はディスク用クランピングプレート、２１は嵌合孔、２２はシャッタ、２３は消去防止用プラグ、２５はシャッタロック、２６は媒体収納部、２７，２８は開口部である。
【図面の簡単な説明】
【００１７】
【図１】本発明の実施例を示す分離状態の斜視図である。
【図２】図１の例のケースの平面図で（ａ）は上ケース、（ｂ）は下ケースを示す。
【図３】図２（ａ）のＡ−Ａ線における拡大縦断面図である。
【図４】図３の例の成形状態の縦断面図で（ａ）は可動側金型後退位置、（ｂ）は可動側金型前進位置を示す。
【図５】図２（ａ）のＢ−Ｂ線における拡大縦断面図である。
【図６】図５の例の成形状態の縦断面図で、（ａ）は可動側金型後退位置、（ｂ）は可動側金型前進位置を示す。
【図７】図２（ａ）のＣ−Ｃ線における成形状態の縦断面図で、（ａ）は可動側金型後退位置、（ｂ）は可動側金型前進位置を示す。
【図８】図２の例のケースの分離状態の平面図で、（ａ）は上ケース、（ｂ）は下ケースを示す。
【図９】図２（ａ）のＤ−Ｄ線における拡大一部切欠斜視図である。
【符号の説明】
【００１８】
１  ケース
２  ディスク状媒体
３  主部
４  透視窓部
５  ゲート部
６  段差部
７  入れ子線
８  シャッタ摺動エリア
９  メディア中央部
１０  メディア記録面対向部分
１１  ラベルエリア
１２  ゲートブッシュ
１３  可動側金型
１４  摺動コア
１５  ゲート
１６  固定側金型
１７  入れ子
【図１】
2006079821.tif 000003
【図２】
2006079821.tif 000004
【図３】
2006079821.tif 000005
【図４】
2006079821.tif 000006
【図５】
2006079821.tif 000007
【図６】
2006079821.tif 000008
【図７】
2006079821.tif 000009
【図８】
2006079821.tif 000010
【図９】
2006079821.tif 000011
【手続補正書】
【提出日】平成17年12月28日(2005.12.28)
【手続補正１】
【補正対象書類名】特許請求の範囲
【補正対象項目名】請求項１
【補正方法】変更
【補正の内容】
【請求項１】
上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面において金型の仕切突壁により形成される凹部に成形用金型の仕切用入れ子で形成される入れ子線を沿設したことを特徴とするディスクカートリッジ。

【手続補正２】
【補正対象書類名】明細書
【補正対象項目名】０００６
【補正方法】変更
【補正の内容】
【０００６】
本発明は、上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面において金型の仕切突壁により形成される凹部に成形用金型の仕切用入れ子で形成される入れ子線を沿設したものである。
【手続補正３】
【補正対象書類名】明細書
【補正対象項目名】０００７
【補正方法】変更
【補正の内容】
【０００７】
本発明は、上ケースと下ケースとからなるケースの内部にディスク状媒体を回転可能に収納したディスクカートリッジにおいて、前記ケースの主要部を形成する不透明樹脂と、透視窓部を形成する透明樹脂とで一体成形したケースを備え、該透視窓部には透明樹脂注入用ゲートを含むエリアで、ケースの内面または外面において金型の仕切突壁により形成される凹部に成形用金型の仕切用入れ子で形成される入れ子線を沿設したことにより、ケース内部の視認性を向上すると共に、ケースが意匠的に単調となることなくケースに特異性を持たせることができ、体裁良好でその外観品位を高め、しかもケースの不透明部分と透明部分との異樹脂の接合部分も強度が低下することもなく、成形不良もなくして、外力によるケース変形を防止しディスク状媒体に障害が発生することも減少すると共に、ケースに必要な板厚を設定でき強度も充分ある信頼性の高いディスクカートリッジを効率よく生産することができる。
【手続補正４】
【補正対象書類名】明細書
【補正対象項目名】０００９
【補正方法】変更
【補正の内容】
【０００９】
本発明の実施例を図１乃至図９の例で説明すると、上ケースと下ケースとからなるケース１の内部にディスク状媒体２を回転可能に収納したディスクカートリッジにおいて、前記ケース１の主要部３を形成する不透明樹脂と、透視窓部４を形成する透明樹脂とで一体成形したケースを備え、該透視窓部４には透明樹脂注入用ゲート５を含むエリアで、ケースの内面または外面において金型の仕切突壁により形成される凹部７に成形用金型の仕切用入れ子１２で形成される入れ子線３１を沿設してある。
【手続補正５】
【補正対象書類名】明細書
【補正対象項目名】００１１
【補正方法】変更
【補正の内容】
【００１１】
なお、不透明樹脂のゲート１５は、シャッタ摺動エリア８に設けており、透明樹脂のゲート５は、メディアの記録面とほぼ対向する部分１０でラベル貼着用エリア１１ではない箇所に設ける。
透明樹脂のゲート５を含む円弧状の領域、即ち透視窓部の一部の周囲には、不透明樹脂を射出成形するときに、透明樹脂で形成される部分に樹脂が流れないようにするための金型の突き当て部（仕切突壁）１７により形成される凹部７があり、この凹部７に合わせて、透明樹脂のゲート５を含む金型の仕切用入れ子１２の入れ子線３１を配置するようにする。
【手続補正６】
【補正対象書類名】明細書
【補正対象項目名】００１２
【補正方法】変更
【補正の内容】
【００１２】
また、成形金型では図７に示すように、可動側金型１３の中に、透明樹脂で形成される部分を構成する摺動する摺動コア１４を設ける。摺動するこの摺動コア１４は、不透明樹脂を射出成形する際には図７（ｂ）に示すように前進して不透明樹脂と透明樹脂で形成される境界部で固定側金型１６と接触し、不透明樹脂が透明樹脂で形成される部分に流れないように仕切突壁１７を設ける。その後、透明樹脂を射出成形するために、摺動する摺動コア１４を後退させて、空間を作りその箇所に透明樹脂で形成される部分を成形する〔図７（ａ）〕。また、下ケースにも同様の形状で適用できる。その場合、透明樹脂で形成される部分の形状を上ケースとほぼ同じ形状にするのが、成形性の向上のために望ましく樹脂は不透明樹脂で成形する〔図８（ｂ）〕。
【手続補正７】
【補正対象書類名】明細書
【補正対象項目名】００１３
【補正方法】変更
【補正の内容】
【００１３】
前記入れ子線３１としては、前記金型の仕切突壁により形成される凹部７のほかに不透明樹脂と、透明樹脂との境界線即ちケースの主要部３と透視窓部４との接続境界線近傍にも沿設して、外観品位を向上することが配慮されている。
【手続補正８】
【補正対象書類名】明細書
【補正対象項目名】００１４
【補正方法】変更
【補正の内容】
【００１４】
なお、ディスクカートリッジ用金型は、図４及び図７に示すように透明樹脂で形成される部分を構成するための可動側金型１３と、該可動側金型１３に対して摺動する摺動コア１４と、摺動コア１４に設けられた不透明樹脂を仕切るための仕切突壁１７に合わせて第２の樹脂を注入するためのゲートを含んで、固定側金型１６に対して分割した仕切用入れ子１２とで構成したものを用い、透視窓部４の外周内面にある不透明樹脂を仕切る金型の仕切突壁１７による凹部７に合わせて入れ子線３１を配置し、窓部に不要な模様をなくし、内部の視認性を向上させてあると共に、成形金型で樹脂注入するゲート部５1 を金型本体とは別部材としてあるので、ゲート部５1 の分解を容易化できメンテナンス性が改善でき、万一、金型損傷の際にも更新が簡便で補修部品も少なくてすみ経済的である。
【手続補正９】
【補正対象書類名】明細書
【補正対象項目名】００１７
【補正方法】変更
【補正の内容】
【００１７】
【図１】本発明の実施例を示す分離状態の斜視図である。
【図２】図１の例のケースの平面図で（ａ）は上ケース、（ｂ）は下ケースを示す。
【図３】図２（ａ）のＡ−Ａ線における誇張された拡大縦断面図である。
【図４】図３の例の成形状態の縦断面図で（ａ）は摺動コア後退位置、（ｂ）は摺動コア前進位置を示す。
【図５】図２（ａ）のＢ−Ｂ線における拡大縦断面図である。
【図６】図５の例の成形状態の縦断面図で、（ａ）は可動側金型後退位置、（ｂ）は可動側金型前進位置を示す。
【図７】図２（ａ）のＣ−Ｃ線における成形状態の縦断面図で、（ａ）は摺動コア後退位置、（ｂ）は摺動コア前進位置を示す。
【図８】図２の例のケースの分離状態の平面図で、（ａ）は上ケース、（ｂ）は下ケースを示す。
【図９】図２（ａ）のＤ−Ｄ線における拡大一部切欠斜視図である。
【手続補正１０】
【補正対象書類名】明細書
【補正対象項目名】００１８
【補正方法】変更
【補正の内容】
【００１８】
１  ケース
２  ディスク状媒体
３  主要部
４  透視窓部
５  透明樹脂のゲート
６  段差部
７  金型の仕切突壁により形成される凹部
８  シャッタ摺動エリア
９  メディア中央部
１０  メディア記録面対向部分
１１  ラベルエリア
１２  仕切用入れ子
１３  可動側金型
１４  摺動コア
１５  不透明樹脂のゲート
１６  固定側金型
１７  仕切突壁
３１  入れ子線
【手続補正１１】
【補正対象書類名】図面
【補正対象項目名】図１
【補正方法】変更
【補正の内容】
【図１】
2006079821.tif 000012
【手続補正１２】
【補正対象書類名】図面
【補正対象項目名】図２
【補正方法】変更
【補正の内容】
【図２】
2006079821.tif 000013
【手続補正１３】
【補正対象書類名】図面
【補正対象項目名】図３
【補正方法】変更
【補正の内容】
【図３】
2006079821.tif 000014
【手続補正１４】
【補正対象書類名】図面
【補正対象項目名】図９
【補正方法】変更
【補正の内容】
【図９】
2006079821.tif 000015